【手続補正書】
【提出日】平成18年6月2日(2006.6.2)
【手続補正１】
【補正対象書類名】特許請求の範囲
【補正対象項目名】全文
【補正方法】変更
【補正の内容】
【特許請求の範囲】
【請求項１】
動脈瘤を処置するキットであって、
該動脈瘤の近傍の位置に少なくとも１つの治療薬剤を送達する手段；および
該手段を使用するための指示書を包含する、キット。
【請求項２】
少なくとも１つのデバイスを、前記動脈瘤の近傍の位置に配置する手段をさらに包含し、ここで、前記少なくもと１つの治療薬剤が該少なくとも１つのデバイスによって放出可能に保持され、そして該デバイスが、該治療薬剤を該動脈瘤の近傍の位置に放出する、請求項１に記載のキット。
【請求項３】
前記少なくとも１つのデバイスが、動脈瘤が位置する血管の少なくとも一部分に係合するための少なくとも１つのステント部材を備える、請求項２に記載のキット。
【請求項４】
前記少なくとも１つのデバイスが、前記少なくとも１つのステント部材と連結される少なくとも１つの管状部材をさらに備える、請求項３に記載のキット。
【請求項５】
前記少なくとも１つのデバイスが、腹大動脈内に配置されるよう構成され、該デバイスが：
該デバイスを前記動脈瘤の近傍の位置に係留するための第１のステント部材；および
近位端および遠位端を有するスカート部材であって、該デバイスが該動脈瘤の近傍の位置に配置されるとき、該ステントから該動脈瘤に向かう方向に延びるスカート部材を備える、請求項２に記載のキット。
【請求項６】
前記少なくとも１つのデバイスが、前記第１のステント部材と連結された第２のステント部材をさらに備え、該第２のステント部材が１つ以上の腎動脈の上の位置に該デバイスをさらに係留するためである、請求項５に記載のキット。
【請求項７】
前記少なくとも１つの治療薬剤が、前記ステント部材および／または前記スカート部材によって保持される、請求項５に記載のキット。
【請求項８】
前記少なくとも１つのデバイスがバルーンを備える、請求項２に記載のキット。
【請求項９】
前記バルーンが、１つ以上の穿孔を含み、該穿孔が、少なくとも１つの治療薬剤を放出するよう構成される、請求項８に記載のキット。
【請求項１０】
前記少なくとも１つの治療薬剤が、前記バルーンの外表面上に保持される、請求項８に記載のキット。
【請求項１１】
前記デバイスが、前記バルーンと連結される複数のニードルをさらに備え、該ニードルが、前記少なくとも１つの治療薬剤の、動脈瘤が位置する血管壁内の位置への送達を促進するように構成される、請求項８に記載のキット。
【請求項１２】
前記バルーンが、該バルーンが配置される血管を通じて血流が生じることを可能にするトロイド様形状のバルーンを備え、ここで該バルーンが、必要に応じてトロイド形である、請求項８に記載のキット。
【請求項１３】
前記少なくとも１つのデバイスが拡張可能なワイヤバスケットを備え、該バスケットが必要に応じて離脱可能である、請求項２に記載のキット。
【請求項１４】
前記ワイヤバスケットと連結される少なくとも１つのサックをさらに備え、該サックが、
前記少なくとも１つの治療薬剤を放出するよう構成されている、請求項１３に記載のキット。
【請求項１５】
前記少なくとも１つのデバイスが、血管壁に付着可能な複数のカプセルを備え、該カプセルが前記少なくとも１つの治療薬剤を放出するよう構成されている、請求項２に記載のキット。
【請求項１６】
前記動脈瘤が、腹大動脈瘤である、請求項１に記載のキット。
【請求項１７】
前記少なくとも１つの治療薬剤が、ドキシサイクリン、テトラサイクリン、ロキシスロマシイン、化学的に改変されたテトラサイクリン、およびプロプラノロールからなる群からとられる、請求項１に記載のキット。
【請求項１８】
少なくとも第２の治療薬剤を送達する手段をさらに包含する、請求項１に記載のキット。
【請求項１９】
前記第１の薬剤が、前記第２の薬剤の前に送達される、請求項１８に記載のキット。
【請求項２０】
前記第１の治療薬剤が抗生物質であり、そして前記第２の治療薬剤がコラーゲン促進薬剤である、請求項１８に記載のキット。
【請求項２１】
動脈瘤を処置するためのデバイスであって、少なくとも１つの治療薬剤を動脈瘤の近傍の位置に送達するための薬物送達配置を備える、デバイス。
【請求項２２】
前記薬物送達配置が、動脈瘤が位置する血管の少なくとも一部分の開存性を維持するための少なくとも１つのステント部材を備える、請求項２１に記載のデバイス。
【請求項２３】
前記薬物送達配置が、前記少なくとも１つのステント部材と連結される少なくとも１つの管状部材をさらに備える、請求項２２に記載のデバイス。
【請求項２４】
前記薬物送達配置が、腹大動脈内に配置されるよう構成され、該配置が：
前記デバイスを該動脈瘤と１つ以上の腎動脈との間の位置に係留するための第１のステント部材；および
近位端および遠位端を有するスカート部材であって、該デバイスが該動脈瘤の近傍の位置に配置されるとき、該動脈瘤に向かう方向に延びるスカート部材を備える、請求項２１に記載のデバイス。
【請求項２５】
前記デバイスを、前記１つ以上の腎動脈の上の位置にさらに係留するための第２のステント部材をさらに備える、請求項２４に記載のデバイス。
【請求項２６】
前記第１のステント部材および第２のステント部材の少なくとも１つが、自己拡張部分およびバルーン拡張可能な部分を含む、請求項２５に記載のデバイス。
【請求項２７】
前記少なくとも１つの治療薬剤が、前記ステント部材およびスカート部材の少なくとも１つによって保持される、請求項２４に記載のデバイス。
【請求項２８】
前記第１のステント部材およびスカート部材の少なくとも１つが、少なくとも１つの脚部材に付着可能であるよう構成され、該脚部材が、前記デバイスを少なくとも１つの腸骨動脈に連結するよう構成される、請求項２４に記載のデバイス。
【請求項２９】
前記薬物送達配置がバルーンを備える、請求項２１に記載のデバイス。
【請求項３０】
前記バルーンが、１つ以上の穿孔を含み、該穿孔が、少なくとも１つの治療薬剤を放出するよう構成される、請求項２９に記載のデバイス。
【請求項３１】
前記少なくとも１つの治療薬剤が、前記バルーンの外表面上に保持される、請求項２９に記載のデバイス。
【請求項３２】
前記バルーンと連結される複数のニードルをさらに備え、該ニードルが、前記少なくとも１つの治療薬剤の、動脈瘤が位置する血管壁内の位置への送達を促進するように構成される、請求項２９に記載のデバイス。
【請求項３３】
前記バルーンが、該バルーンが配置される血管を通じて血流が生じることを可能にするトロイド様形状のバルーンを備え、ここで該バルーンが、必要に応じて離脱可能である、請求項２９に記載のデバイス。
【請求項３４】
前記薬物送達配置が拡張可能なワイヤバスケットを備える、請求項２１に記載のデバイス。
【請求項３５】
前記ワイヤバスケットと連結される少なくとも１つのサックをさらに備え、該サックが、前記少なくとも１つの治療薬剤を放出するよう構成されている、請求項３４に記載のデバイス。
【請求項３６】
前記薬物送達配置が、血管壁に付着可能な複数のカプセルを備え、該カプセルが前記少なくとも１つの治療薬剤を放出するよう構成されている、請求項２１に記載のデバイス。
【請求項３７】
前記動脈瘤が、腹大動脈瘤である、請求項２１に記載のデバイス。
【請求項３８】
前記少なくとも１つの治療薬剤が、ドキシサイクリン、テトラサイクリン、ロキシスロマシイン、化学的に改変されたテトラサイクリン、およびプロプラノロールからなる群からとられる、請求項２１に記載のデバイス。
【請求項３９】
前記少なくとも１つの治療薬剤が抗生物質およびコラーゲン促進薬剤を含み、そして該抗生物質が、前記動脈瘤の近傍の位置に該コラーゲン促進薬剤が送達される前に送達される、請求項２１に記載のデバイス。
【請求項４０】
動脈瘤を処置するためのキットであって：
該動脈瘤が位置する血管中に配置のための処置デバイス；
該血管中に該処置デバイスを配置することにおける使用のための配置デバイス；および
該処置デバイスおよび該配置デバイスを使用するための指示書を備える、キット。